(57)【要約】【課題】移動通信端末機が不連続伝送モードにある時に、受信された信号にデータが存在するか否かを検出する装置及び方法を提供する。【解決手段】前記装置及び方法は、移動通信システムで、順方向電力制御を提供する順方向電力制御命令を生成して伝送し、順方向電力制御を遂行する。前記順方向電力制御方法によって、電力制御命令は電力制御ビットを含む複数のスロットを含む受信フレームに基づいて生成される。前記受信されたフレームのスロット内の電力制御ビットの累積エネルギー値と、前記受信されたフレームのスロット内の雑音の累積エネルギー値と、の比である電力制御ビット対雑音の比が提供され、前記提供された電力制御ビット対雑音の比が受けられる時、前記スロット内のトラヒックシンボルビットの累積エネルギー値と前記電力制御ビットの累積エネルギー値との比率に基づいて電力制御命令を生成する。【選択図】図２
2004304839.tif 000002
【特許請求の範囲】
【請求項１】
端末機によって順方向リンク伝送電力制御のための電力制御命令を生成する不連続伝送モードの移動通信システムで、順方向リンク伝送電力を制御する方法において、
受信されたフレームの電力制御ビットのエネルギーが、データ受信のための最小値として設定された第１しきい値以上であるか否かを検査する第１過程と、
前記第１過程で、電力制御ビットのエネルギーが前記第１しきい値以上であると判断される場合、チャネル状態を良好状態と決定する第２過程と、
前記第１過程で、電力制御ビットのエネルギーが前記第１しきい値未満であると判断される場合、チャネル状態を不良状態と決定する第３過程と
からなることを特徴とする方法。
【請求項２】
前記受信されたフレームに巡回冗長検査情報が含まれている場合、前記第１過程の以前に復号されたデータが正確に復号されたか否かを検査する第４過程と、
前記第４過程で、データが正確に復号された場合は、前記フレームを良好状態に判定し、データが正確に復号されなかった場合は、第１過程を遂行する第５過程と
をさらに備えることを特徴とする請求項１記載の方法。
【請求項３】
チャネル状態が良好状態と判断される場合、非電力制御ビットのエネルギー値を前記電力制御ビットのエネルギー値で割った値が、所定第２しきい値未満であると、前記フレームにはデータがないと決定する第６過程と、
前記割り算の結果値が所定の第２しきい値以上であると、前記フレームを不良に決定する第７過程と
をさらに備えることを特徴とする請求項２記載の方法。
【発明の詳細な説明】
【技術分野】
【０００１】
本発明は、移動通信システムで電力を制御する装置及び方法に関し、特に、不連続伝送モード(Discontinuous Transmission Mode: 以下、ＤＴＸと称する)で順方向リンク電力を制御する装置及び方法に関する。
【背景技術】
【０００２】
通常的に、ＤＴＸとは、有線システムまたは移動通信システムで伝送するべきデータが存在する時のみに、フレーム単位でデータを伝送するモードである。前記ＤＴＸを使用する場合は、次のような利点がある。データが実際存在する時のみにデータフレームを伝送するので、伝送電力を最小化することができ、前記システムに影響を及ぼす干渉信号の強度が減少するため、全体システムの容量が増加する。
【０００３】
しかしながら、送信器がフレームを不連続的に伝送するので、受信器はフレームが伝送されたか否かを認識することができず、これによって、基地局は順方向リンク電力制御を自ら遂行することができなくなる。つまり、端末機の受信器によってフレームが伝送されたか否かが正確に判断できない場合、前記端末機の受信器によって巡回冗長検査(Cyclic Redundancy Code: 以下、ＣＲＣと称する)などを含む復号器の判断変数及び復号器の復号結果が信頼できなくなる。前記のように判断結果が信頼できなくなるため、連続伝送モードで使用する既存方法では、ＤＴＸ時の基地局の伝送電力を正確に制御することができない。以下、ＤＴＸの無線移動通信システムの受信器で遂行される従来順方向リンク電力制御方法の例を説明する。
【０００４】
図１は、従来ＤＴＸの移動通信システムにおける受信器及び送信器の順方向リンク電力制御装置を示すブロック図である。ここで、前記移動通信システムは符号分割多種接続(Code Division Multiple Access: ＣＤＭＡ)通信システムであると仮定する。
【０００５】
図１を参照すると、ＲＦ(Radio Frequency)部１０はアンテナＡＮＴを通して受信したＲＦ信号を周波数下降変換(frequency down converting)して基底帯域(base band)周波数に変換する。受信器１２は、前記ＲＦ部１０の出力信号を逆拡散した後、前記逆拡散された信号をシンボル単位で累積してシンボルのレベルを決定する。この時、前記逆拡散は、ＰＮ逆拡散(PN despreading)及び直交逆拡散(orthogonal despreading)を含む。前記受信器の復号器１４は、受信されたフレームを検査して、前記受信されたフレームが良好な状態(good state)であるか、それとも、受信されたフレームが存在しない状態(erasure state)であるかを検査し、それによって、チャネルの状態を確認する。制御部１６は、前記復号器１４からの検査結果を逆方向に基地局へ伝送する。前記基地局の電力制御部(図１には図示せず)へ逆方向に伝送されるチャネルの検査結果が良好な状態である時、前記電力制御部は前記チャネルを良好な状態に判断して、順方向伝送電力を減少させる。一方、前記チャネルの検査結果が、フレームが存在しない状態である時、前記電力制御部は、前記基地局が以前フレームを伝送したか否かによってチャネルの状態を判断する。前記基地局が以前フレームを伝送した場合、前記電力制御部は前記チャネルをフレームが存在しない状態であると判断して順方向伝送電力を増加させ、以前フレームを伝送しなかった場合は、前記電力制御部が前記検査結果を無視するので、順方向リンク電力制御に前記命令を反映しない。
【０００６】
従って、従来ＤＴＸにおける順方向リンク電力制御方法は、伝送されるフレームが存在する時のみに逆方向に伝送される順方向リンク電力制御命令を使用して、順方向リンク電力制御を調節する速度が非常に低くなるという短所がある。つまり、伝送されるデータが非常に少ないＤＴＸでは、連続伝送モードの電力制御速度である５０Ｈｚよりずっと低い速度で電力制御を遂行するので、前記順方向リンク電力制御はチャネルの変化速度を追えない。従って、ＤＴＸにおいて、順方向リンク電力をより速くて正確に制御する装置と方法が要求される。
【発明の開示】
【発明が解決しようとする課題】
【０００７】
従って、本発明の目的は、ＤＴＸを使用する移動通信システムで、端末機によるチャネル状態の正確な判断に基づいてリンク電力を制御する装置及び方法を提供することにある。
本発明の他の目的は、ＤＴＸを使用する移動通信システムで、端末機から受信されるチャネル状態情報を利用してリンク電力を制御する装置及び方法を提供することにある。
【課題を解決するための手段】
【０００８】
前記のような目的を達成するための本発明は、ＤＴＸにおいてＤＴＸデータが存在するか否かを判別する装置を提供する。前記装置は、受信されたデータで電力制御ビットのエネルギーの位置及び非電力制御ビットのエネルギーの位置を検出する位置検出器と、前記位置検出器から出力される非電力制御ビットの位置に該当する信号のエネルギーを測定する第１エネルギー測定器と、前記位置検出器から出力される電力制御ビットの位置に該当する信号のエネルギーを測定する第２エネルギー測定器と、前記第１エネルギー測定器と前記第２エネルギー測定器の出力の比率を計算してデータの有無を判別する制御部と、から構成されることを特徴とする。
【０００９】
本発明によるデータの有無の判別装置は、前記伝送されたデータにＣＲＣが含まれている場合、前記ＣＲＣ状態を検出する復号器をさらに備え、前記制御部は前記ＣＲＣの状態値といっしょにデータの有無を判別する。
前記制御部は、前記第１エネルギー測定器のエネルギー値と前記第２エネルギー測定器のエネルギー値の比率を計算するエネルギー比計算器と、前記エネルギー比計算器の出力とデータの有無による所定しきい値を比較する第１比較器と、前記第１比較器の出力によってデータの有無を検出する制御器と、から構成される。
【００１０】
本発明によるデータの有無の判別装置は、データが存在する場合、前記電力制御ビットの累積エネルギー値と最小しきい値を比較する第２比較器をさらに備え、前記制御部は、前記言及した出力及び前記第２比較器の出力を利用してデータの有無を判別する。
本発明によるデータの有無の判別装置は、移動通信システムの基地局に前記内容を知らせる送信器をさらに備える。
【００１１】
前記送信器は、前記検出されたデータ状態情報を電力制御命令として送信するチャネル情報挿入器と、前記チャネル情報挿入器から出力されるデータ及び逆方向リンクパイロットチャネルを多種化する多重化器と、前記多重化器の出力を送信信号に変換して送信する逆方向リンク送信器と、から構成される。
前記送信された電力制御命令は、"十分(sufficient)"及び"不十分(insufficient)"を表示する１ビット情報、または、"良好(good)"、"不確実(uncertain)"、"パス(pass)"及び"不良(bad)"を表示する２ビット情報から構成されることができる。
【００１２】
本発明の他の観点から見ると、本発明は、ＤＴＸにおいて、受信されたＤＴＸデータに含まれた電力制御命令によって順方向リンク電力を制御する装置を提供する。前記装置は、前記電力制御命令を提供するために前記受信データから前記電力制御命令を抽出する電力制御命令復調器と、前記復調された情報と以前フレームが伝送されたか否かを示す情報とを組み合わせて、前記２つの情報が一致する時のみに電力減少を遂行する電力制御ビットを生成して出力する制御器と、前記制御器の制御によって前記データ及び電力制御ビットを送信する順方向送信器と、から構成されることを特徴とする。
【００１３】
本発明のまた他の観点から見ると、本発明は、それぞれ電力制御ビット含む複数のスロットを含む受信フレームに基づいて電力制御命令を生成する方法を提供する。前記方法は、前記スロットの前記電力制御ビットのエネルギー累積値と前記スロットの雑音のエネルギー累積値の比率による電力制御ビット対雑音の比率を提供する過程と、前記提供される雑音電力制御ビットが良好である時、前記スロットのトラヒックシンボルビットのエネルギー累積値と前記電力制御ビットのエネルギー累積値の比率に基づいて前記電力制御命令を生成する過程と、からなることを特徴とする。
【００１４】
本発明による電力制御命令の生成方法は、前記フレームにＣＲＣ情報が含まれている場合、前記ＣＲＣ情報を検出する過程と、前記検出されたＣＲＣ情報の復号状態を検査する過程と、前記ＣＲＣ情報の復号が正確に遂行された場合、電力を減少させる電力制御命令を生成する過程と、をさらに備える。
本発明による電力制御命令の生成方法は、前記検出されたＣＲＣ情報の復号が正確に遂行されなかった場合、電力を増加させる電力制御命令を生成する過程をさらに備える。
【発明を実施するための最良の形態】
【００１５】
以下、本発明による好適な一実施形態を添付図面を参照しつつ詳細に説明する。なお、図面中、同一な構成要素及び部分には、可能な限り同一な符号及び番号を共通使用するものとする。
【００１６】
下記説明では、フレームの有無を決定するための電力制御ビット(一定に伝送される部分)及び非電力制御ビット(フレーム毎に相違して伝送できる部分)の連続的に累積される区間数などの多様な特定事項を示しているが、これらは本発明の全般的な理解のためであり、特性事項なしで、または、変形によって遂行できることは、当技術分野で通常の知識を有する者には自明である。以下、一定に伝送される部分は順方向リンクの電力制御ビットであり、フレーム毎に相違して伝送できる部分は非電力制御ビットであることを例に挙げて説明する。
【００１７】
下記説明で、"順方向リンク"とは、基地局から端末機に送信されるリンクを意味し、"逆方向リンク"とは、端末機から基地局に送信されるリンクを意味する。
図２は、本発明の実施形態による受信器の通信装置の構成を示すブロック図である。
【００１８】
図２を参照すると、ＲＦ部１０はアンテナＡＮＴを通して受信されるＲＦ信号を周波数下降変換して基底帯域の周波数に変換する。受信器１２は、前記ＲＦ部１０からの出力信号を逆拡散した後、シンボル単位で逆拡散された信号を累積することによってシンボル値を出力する。この時、逆拡散はＰＮ逆拡散及び直交逆拡散を含む。第１エネルギー測定器２２は、非電力制御ビットを測定する装置で、前記受信器１２から出力される非電力制御ビットのエネルギーを測定して出力する。第２エネルギー測定器２４は、電力制御ビットを測定する装置で、前記受信器１２から出力される電力制御ビットのエネルギーを測定して出力する。位置検出器２０は、ＣＤＭＡ-２０００システムまたはＷ-ＣＤＭＡシステムによる非電力制御ビットの位置を指定する信号を前記第１エネルギー測定器２２に出力し、電力制御ビットの位置を指定する信号を生成して第２エネルギー測定器２４に出力する。制御部２６は、前記第１エネルギー測定器２２及び第２エネルギー測定器２４の出力と、復号器１４の出力と、を利用してチャネルの状態を決定する。前記のようにチャネルの状態が決定されると、制御部２６は、逆方向送信器１８を通してチャネル状態情報を前記基地局に伝送する。
【００１９】
前記のように、図２の順方向リンク電力制御装置は、ＣＤＭＡ通信システムのＤＴＸで、受信信号を測定してフレームの有無によるチャネル状態を判断し、前記チャネル状態を利用して順方向リンク電力を制御する。ここで、前記受信信号は、ＤＴＸで伝送される使用者チャネル信号であり、そのフレームの構造は、電力制御ビット及び非電力制御ビットから構成される。従って、第１エネルギー測定器２２は非電力制御ビットエネルギーを測定し、第２エネルギー測定器２４は電力制御ビットエネルギーを測定する。
【００２０】
前記制御部２６は、非電力制御エネルギーの測定値と電力制御ビットエネルギーの測定値の強度の比率を計算する。それから、前記制御部２６は、前記強度の比及び所定しきい値を利用して受信フレームの有無を決定し、受信されたチャネルの状態を判断する。前記端末機の制御部２６は、チャネル状態を判断した結果により逆方向リンクに伝送される順方向電力制御命令を決定し、前記決定した値を逆方向に伝送する。従って、前記基地局は前記逆方向に伝送される電力制御命令を利用して順方向伝送電力を制御する。前記端末機は、前記制御部２６のチャネル状態判定の結果を逆方向に前記基地局に伝送する。前記基地局は、この値を、以前フレームが伝送されたか否かによって順方向電力制御のための制御値として使用する。
【００２１】
図３は、本発明の実施形態による端末機の構成を示すブロック図である。前記端末機は、前記復号器からの情報及び非電力制御ビットエネルギーと電力制御ビットエネルギーの比率を求めてフレームの有無を決定し、逆方向に前記チャネル状態情報を伝送する。図３を参照して、本発明の実施形態による構成及び動作を詳細に説明する。
【００２２】
図１及び図２の受信器１２は、ＰＮ逆拡散器１２ａ、トラヒック逆拡散器１２ｂ、チャネル推定器１２ｃ、及び混合器１２ｄから構成される。前記ＰＮ逆拡散器１２ａは、ＰＮシーケンスを使用して順方向リンクの受信信号を逆拡散する。直交逆拡散器であるトラヒック逆拡散器１２ｂは、該当チャネルの直交符号を使用して前記ＰＮ逆拡散された信号を逆拡散する。ここで、前記直交符号はウォルシュ符号(Walsh code)になり、前記チャネルは使用者トラヒックチャネル(user traffic channel)になる。前記チャネル推定器１２ｃは、前記ＰＮ逆拡散器１２ａからＰＮ逆拡散されて出力された信号を受信して、チャネル推定信号を生成する。前記混合器１２ｄは、前記トラヒック逆拡散器１２ｂの出力及び前記チャネル推定器１２ｃの出力を受信し、前記受信信号を混合して出力する。
【００２３】
第１エネルギー測定器２０は、前記直交逆拡散されたチャネル信号、つまり、前記混合器１２ｄからの出力を受信して、非電力制御ビットＮＯＮ＿ＰＣＢのエネルギーを一定区間Ｎ１の間に累積した後、前記累積区間の間の非電力制御ビットのエネルギーを測定する。第２エネルギー測定器２２は、前記混合器１２ｄからの出力を受信して、電力制御ビットＰＣＢのエネルギーを一定区間Ｎ２の間に累積した後、前記累積区間の間の電力制御ビットのエネルギーを測定する。
【００２４】
エネルギー比計算器２６ａは、前記第１エネルギー検出器２０の出力を前記第２エネルギー検出器２２の出力で割る。前記エネルギー比計算器２６ａの出力は第１比較器２６ｂに入力される。前記第１比較器２６ｂは、前記入力値と第１しきい値を比較する。前記第１比較器２６ｂの出力値は、フレームの有無を判断する根拠になる。前記非電力制御ビットエネルギーと前記電力制御ビットエネルギーの比率を計算するエネルギー比計算器２６ａは、各電力制御グループ(Power Control Group: ＰＣＧ)毎のエネルギーの比を計算して、その比をフレーム区間の間に累積することができる。また、前記エネルギー比計算器２６ａは、フレーム区間の間に非電力制御ビットエネルギー及び電力制御ビットエネルギーとをそれぞれ累積して、各フレームに一回ずつこれらの比率を計算することもできる。
【００２５】
前記第１エネルギー測定器２０と前記第２エネルギー測定器２２は、使用者が固有の電力制御ビットの位置を使用するシステムと、共通の電力制御ビットの位置を使用するシステムと、の両方のシステムでそれぞれ使用されることができる。つまり、各使用者別の符号を使用して電力制御ビットの位置を決定するＣＤＭＡ-２０００システムと、使用者に対して伝送電力制御(Transmit Power Control: ＴＰＣ)ビットの位置が固定されるＷ-ＣＤＭＡシステムと、の両方のシステムで使用することができる。第２比較器２６ｃは、データの有無が判断できない状況で常に存在する電力制御ビットを利用してチャネル状態を判断する装置である。前記第２比較器２６ｃは、前記第２エネルギー測定器２２の出力を所定第２しきい値と比較して、比較結果による信号を出力する。 
【００２６】
制御器２６ｄは、前記第１比較器２６ｂの出力値、前記第２比較器２６ｃの出力値、及び前記復号器１４からの復号状態情報を使用して、前記フレーム状態を判断することができる。前記復号されたフレームの状態を判断する制御器２６ｄによって使用される復号器１４からの復号状態情報は、メトリック(metric)、符号化したシンボルのエラー率、ＣＲＣ、または、これらの組み合せのいずれか１つを使用することができる。本発明の実施形態において、ＣＲＣビットは前記データフレームに存在し、前記受信器は前記ＣＲＣビットをフレームの信頼性を判断するのに使用する。しかしながら、前記ＣＲＣビットの代わりに、メトリック及び符号化したシンボルのエラー率などを利用することもできる。本発明は従来技術で使用される復号方法に限るものでない。前記復号器１４によるＣＲＣ検査結果として、前記受信されたフレームが良好なフレームに判定されると、前記制御器２６ｄは前記受信された信号にフレームが存在し、前記フレームは良好状態であると判定する。前記復号器１４のＣＲＣ検査結果として、前記受信されたフレームが良好でないフレームに判定されると、前記制御器２６ｄは、電力制御ビットのエネルギーと第２しきい値を比較した第２比較器２６ｃの結果を検査する。前記エネルギー値が前記第２しきい値より大きくない場合、前記制御器２６ｄは前記フレームを不確実な状態と判断する。フレームが不確実な状態に判断されることは、常に伝送される電力制御ビットのエネルギーが特定レベルを下回ることを意味する。つまり、前記受信された信号にデータフレームが存在するか否かを決定する信頼性が低い場合、前記受信信号のチャネル状態は不確実であると判定される。
【００２７】
一方、前記電力制御ビットエネルギー値が前記第２しきい値より大きい場合、前記制御器２６ｄは、前記第１比較器２６ｂの出力である前記非電力制御ビットエネルギーと電力制御ビットエネルギーの比率と、前記第１しきい値と、を比較した結果を検査する。前記検査値が第１しきい値より大きい場合、前記制御器２６ｄは、前記フレームにデータが存在し、チャネル状態は不良であると判断する。前記検査結果が前記第１しきい値より大きくない場合、前記制御器２６ｄは、受信信号にフレームが存在しないと判断する。また、前記電力制御ビットのエネルギーが１つのフレームの間で特定レベルの以上であるので、前記制御器２６ｄは前記チャネルをパス状態に判定する。前記制御器２６ｄの動作は、図１４のフローチャートを参照して説明する。図１４の制御器２６ｄの動作によって、前記受信器は、データフレームが存在しないためＣＲＣ検査結果が良好でない時でも、チャネル状態は良好である時を決定することができる。従って、前記受信器によって前記ケースを前記データフレームが存在しながらチャネル状態が不良であるケースと区別するようになるので、受信信号のチャネル状態が明確に判断できる。
【００２８】
前記復号器の出力である前記ＣＲＣ、電力制御ビットエネルギー、非電力制御ビットエネルギーと電力制御ビットエネルギーの比率による制御器の可能チャネル判断結果、及びそれぞれのケースに対する順方向リンク電力制御命令を＜表１＞に示す。 
【表１】
2004304839.tif 000003
【００２９】
＜表１＞で、"Ｙ"は検査結果による'ｙｅｓ'を、"Ｎ"は検査結果による'ｎｏ'を示す。フレームの判定結果によって、"Ｇ"は良好な状態を、"Ｂ"は不良の状態を、"Ｐ"はフレームのないパス状態を、"Ｕ"は不確実な状態を示す。また、"Ｓ"はデータの有無に関係なく受信信号の十分な状態(sufficient quality)を、"Ｉ"はデータの有無に関係なく受信信号の不十分な状態(insufficient quality)を示す。
【００３０】
従って、"Ｇ"の場合は、前記フレームにデータが存在し、前記フレームは十分な状態であると判断される。"Ｂ"の場合は、前記フレームにデータは存在するが、前記フレームは不十分な状態であると判断される。また、"Ｐ"の場合は、前記チャネル状態は良好であるが、前記フレームにデータが存在しないと判断される。"Ｕ"の場合は、チャネル状態が不確実な状態であると判断される。"Ｐ"の場合は、前記フレームにデータは存在しないが、前記フレームに常に存在する電力制御ビットの大きさの測定結果から、前記電力制御ビット値が特定値以上であるので、前記チャネル状態は十分な状態であると判断される。前記チャネル状態が不確実である場合は、電力制御ビットエネルギーが特定値の以下であるので、前記チャネル状態は不十分な状態であると判断される。＜表１＞の下段には、それぞれのケースに対して逆方向に伝送される順方向リンク電力制御命令が示されている。
【００３１】
下記説明で、＜表１＞は状態検査テーブルと称する。前記状態検査テーブルに示す全てのケースに対して、前記制御器２６ｄがフレーム状態を判断することを図１２のフローチャートを参照して説明する。前記状態検査テーブルで、"ＴＨ１"及び"ＴＨ２"は各比較器のしきい値を示すが、図３の第１しきい値と第２しきい値が必ずしも同じ値ではない。
【００３２】
前記状態検査テーブルを利用して、図３の制御器２６ｄは前記チャネル状態を判定し、その結果をチャネル情報挿入器２６ｅに出力する。前記チャネル情報挿入器２６ｅは、前記結果をＰＮ符号の長さだけ繰り返してパイロットチャネルの一部に挿入する。前記挿入されたフレームの構造は図５のようである。前記チャネルに挿入された情報は、十分な受信状態または不十分な受信状態を示す１ビットの情報、または、良好、不良、不確実、及びパスを示す２ビットの情報である。つまり、前記挿入情報が１ビット情報であると、フレームの長さに合わせて繰り返して挿入される。前記挿入情報が２ビット情報であると、フレームの長さに合わせて符号化して挿入される。前記それぞれのケースに対する基地局受信器の構成及び動作を、図７を参照して説明する。
【００３３】
前記制御器２６ｄの判断及びチャネル情報挿入器２６ｅの繰り返しの結果は、１つの入力として多重化器２６ｆに入力される。前記多重化器２６ｆのもう１つの入力は、逆方向パイロットチャネルの情報である。前記多重化器２６ｆは、前記２つの入力を図５のように組み合わせて、逆方向リンク送信器１８に出力する。従って、前記端末機によって検出された情報は前記基地局に伝送される。
【００３４】
図４は、図２の制御部２６の構成を含む本発明の他の実施形態による端末機の構成を示すブロック図である。前記端末機は、前記復号器１４からの情報及び非電力制御ビットエネルギーと電力制御ビットエネルギーとの比率を求めてフレームの有無を決定し、逆方向にチャネルの状態を伝送する。図４を参照すると、前記制御器２６ｄは、図３と同じ方法でチャネル状態を判断する。前記のように、前記判定されたチャネル状態が前記１ビット情報で表示される時、各トラヒックフレームの一番目のビットに挿入されることができる。前記判定されたチャネル状態が前記２ビット情報で表示される時は、各トラヒックフレームの一番目の２ビットに挿入されることができる。前記２つのケースに対する前記基地局受信器の構成及び動作は、図８を参照して説明する。
【００３５】
図５は、図３の本発明の実施形態による順方向リンク電力制御のための逆方向リンクパイロットチャネル及び電力制御サブチャネルのフレームの構造を示す。前記フレーム構造は、ＩＳ-２０００のＲＣ(Radio Configuration)３、４、５、及び６に示す構造と同一である。図５で、各電力制御グループの３／４は逆方向リンクパイロットシンボルを伝送し、残りの１／４は順方向電力制御命令を伝送する。図３の制御器２６ｄが出力したチャネル状態判定値は、順方向電力制御命令を伝送する順方向電力制御サブチャネルを通して伝送される。この時、前記チャネル状態判断値の伝送において、順方向リンク伝送電力を制御する１ビットの増加／減少命令を繰り返して伝送することもでき、フレーム及びチャネルの４つの状態を表示する２ビットの情報を符号化して伝送することもできる。つまり、１ビットの命令を伝送する場合、前記基地局の順方向電力制御部は、この情報を利用して順方向電力を制御する。２ビットのチャネル情報を伝送する場合、前記基地局の順方向電力制御部はこの情報を復号して、以前フレームが伝送されたか否かによって順方向伝送電力を制御する。前記基地局の順方向電力制御部の構成及び動作は、図７を参照して説明する。
【００３６】
図６は、図４の本発明の他の実施形態による順方向電力制御のための逆方向リンクトラヒック伝送フレームの構造を示す。図４で、前記制御器２６ｄの出力は、前記フレーム及びチャネルの４つの可能状態を示す情報である。前記情報を利用して、前記端末機の逆方向リンク送信器は、チャネル状態を表示するフレーム状態指示ビット(indication bit)を使用者データフレームの前の部分に挿入することができる。つまり、前記端末機の逆方向リンク送信器は、"良好"及び"不良"の２つのチャネルの状態を表示し、フレームの前の部分に位置した１ビット情報を前記基地局に伝送することができる。また、前記チャネル状態は、４つのチャネル状態を表示する２ビット情報として前記基地局に伝送することもできる。前記１ビット情報が伝送される時、前記基地局の順方向電力制御部は、前記データフレームを復号化して、１ビット情報を分析した後、前記１ビット情報を利用して順方向電力を制御する。前記２ビット情報が伝送される時、前記基地局の順方向電力制御部は、前記データフレームを復号化し、２ビット情報を分析した後、以前フレームが伝送されたか否かによって順方向電力を制御する。前記基地局の順方向電力制御部の構成及び動作は、図７を参照して説明する。
【００３７】
図７は、逆方向リンクのチャネル状態による順方向電力制御命令を利用して順方向リンク送信器の順方向リンク電力を制御する制御システムを示す。
前記基地局受信器は、受信された逆方向リンク信号を復調して、端末機から基地局に伝送された電力制御ビットを分析した後、順方向リンク伝送電力を制御する。この時、図５で提案したように、前記基地局受信器の復調器(図７の５０)は、パイロットチャネルに挿入された電力制御命令から電力制御情報を引き出す。図５で、伝送される電力制御情報は、前記端末機が順方向リンク電力を制御するために伝送する電力制御命令になるか、または、前記端末機が判断した順方向チャネルの状態情報になることができる。従って、前記２つのケースに対して、方法１と方法２に区分して説明する。
【００３８】
方法１によると、前記基地局は、前記端末機が検査したチャネル状態によって順方向リンク電力を増加または減少させる電力制御命令を使用する。つまり、前記端末機が、図３と図５の方法によって前記受信された順方向チャネルの状態を"良好"と"不良"に区分すると、前記基地局は順方向リンク伝送電力を増加または減少させる。前記基地局の順方向電力制御器はこの命令を復調した後、順方向電力を制御する。
【００３９】
一方、方法２は、図３及び図５のように"良好"、"不良"、"不確実"、及び"パス"の４つのチャネル状態が、順方向リンク状態情報を前記基地局に伝送するために使用されると、前記４つのチャネル状態に対して、前記基地局が以前フレームの伝送状態によって順方向リンク電力を制御する方法である。
前記方法１は、＜表２＞を、前記方法２は＜表３＞を参照して説明する。
＜表２＞(方法１)で、"不確実"及び"パス"のようなチャネル状態は前記端末機の内部的判断の結果であり、最終的に逆方向に伝送される命令は"増加"及び"減少"の命令である。
【００４０】
＜表２＞に前記フレームの伝送状態を示す理由は、方法１と方法２との差を指摘するためである。つまり、＜表１＞及び＜表２＞のように、フレームが"Ｙ"でチャネル状態が"パス"であるケースと、フレームが"Ｎ"でチャネル状態が"良好"であるケースは相違する。＜表２＞で、フレームが"Ｙ"でチャネル状態が"パス"であるケースは、前記フレームのＣＲＣが"不良"でチャネル状態は"十分な品質"であるケースに該当し、このケースで、前記端末機は"電力減少"を命じ、＜表３＞で前記端末機は"電力増加"を命じる。これは、前記基地局によって前記フレームが伝送されたか否かが分かるので、前記フレームが存在して前記フレームのＣＲＣが"不良"であることが分かるためである。
【００４１】
同様に、＜表２＞で、前記フレームは"Ｎ"でチャネル状態は"良好"である場合、前記フレームは伝送されなくて前記ＣＲＣは"良好"であるので、前記電力は減少する。＜表３＞で、前記基地局によって前記フレームが伝送されなかったことが分かるので、このケースは"不良"として処理する。
【表２】
2004304839.tif 000004
【表３】
2004304839.tif 000005
【００４２】
方法１で、前記端末機は、チャネル状態を"良好"、"不良"、"パス"、及び"不確実"の４つに判断した後、また、"Ｓ"及び"Ｉ"の２つに判断して、前記基地局に"増加"及び"減少"の命令を送信する。方法２では、前記端末機がチャネル状態を"良好"、"不良"、"パス"、及び"不確実"の４つに判断して、その判断結果を前記基地局に送信すると、前記基地局は以前フレームが伝送されたか否かを判断した情報を利用して、"増加"または"減少"を決定する。
【００４３】
前記端末機の受信器は、図３で提案する方法によって順方向チャネルの状態を判定する。この時、前記チャネル状態は、"良好"、"不確実"、"パス"、及び"不良"に区分される。方法１で、順方向電力制御のために逆方向に伝送される電力制御命令は、"良好"及び"パス"の状態で電力減少を命じ、"不確実"及び"不良"のフレーム状態で電力増加を命ずる。方法２で、前記端末機が判断したチャネルの状態情報を前記基地局に伝送すると、前記基地局の電力制御器は、前記受信されたチャネル状態情報及び以前フレームの伝送状態によって、順方向電力の増加及び減少を決定する。つまり、以前フレームが伝送された場合は、チャネル状態が"十分"である時のみに電力が減少し、残りの３つの状態に対しては電力が増加する。もし、以前フレームが伝送されなかった場合は、"パス"の状態情報を受信した時のみに電力が減少し、残りの３つの状態に対しては電力が増加する。
【００４４】
方法１と方法２との相違点によって、前記フレームが伝送された時、前記端末機が"パス"状態に判断すると、電力制御ビットのエネルギーは所定レベルの以上であるがＣＲＣ検査を通過することができず、データ部分のエネルギーが特定レベルを下回るので、前記データ部分が激しく減衰されることが分かる。従って、このケースでは、チャネル状態を"不良"と判断して、電力増加を決定する。また、前記フレームが伝送されなかった時、前記端末機がフレーム状態を"良好"と判断すると、前記端末機の復号器のＣＲＣ検査でエラーが発生したことが分かるので、前記チャネル状態を"不良"と判断して、電力増加を決定するようになる。図３の構成の端末機が、図５のように、順方向チャネル電力によるチャネル状態情報を逆方向に伝送する場合、前記基地局の受信器は、前記チャネル状態情報を受信して処理するために、図７のような構成の装置を利用する。つまり、図５のフォーマットを持つデータがパイロットチャネルを通して伝送されると、前記基地局のＲＦ部４０はアンテナＡＮＴを通して前記データを受信する。前記受信されたデータは基底帯域信号に変換された後、ＰＮ逆拡散器４２によって逆拡散される。それから、前記伝送されたデータは前記パイロット逆拡散器４４によって抽出され、混合器４８でチャネル推定器４６からのチャネル推定信号と混合される。前記混合器４８からの出力信号は復調器５０によって復調され、制御器５２に入力される。前記制御器５２は、＜表２＞及び＜表３＞のいずれか１つの方法を利用して電力制御のための信号を生成した後、順方向送信器５４を通して前記端末機に対して電力制御を遂行する。
【００４５】
本発明の方法１及び方法２の順方向電力制御方法は、前記復号器のＣＲＣ検査を利用してフレームが伝送される時のみに電力制御を遂行する従来方法に比べて、各フレームに対して電力制御を遂行するので、本発明の好適な実施形態によってチャネルの変化状態をより効率的に追跡することができる。
【００４６】
図８は、図２のチャネル状態による順方向電力制御命令を利用して順方向伝送電力を制御する基地局の順方向リンク電力制御装置を示す。前記制御器は、図６の逆方向電力制御フレームの構造に対して順方向に伝送される電力を制御する。
図８の方法は、図４及び図６に示すように、逆方向リンクトラヒックチャネルを通して順方向チャネル情報を伝送する方法である。前記チャネル状態情報は、チャネル状態を"良好"及び"不良"に判定する１ビットの情報、または、４つの可能チャネル状態に判断する２ビットの情報であってよい。前記２つのケースで、前記チャネル情報ビットが各フレームの特定部分(図６の実施形態で、前記チャネル情報ビットは各フレームの一番目の１または２ビットの位置に挿入されて、前記チャネル情報ビットの位置が固定されることも、各使用者別に相違する位置を持つこともできる)に挿入されて逆方向に伝送される。
【００４７】
図８による方法を説明すると、方法１は、前記端末機が順方向チャネル状態を"良好"及び"不良"と判断して順方向電力を制御する方法であり、方法２は、前記端末機が"良好"、"不確実"、"パス"、及び"不良"のチャネル状態情報を逆方向に伝送し、前記伝送されたチャネル状態情報を利用して前記基地局の順方向電力制御器が電力を制御する方法である。前記基地局受信器は、逆方向リンクトラヒックチャネルを復調して、順方向チャネルの状態情報を分析する。方法１では、前記状態情報が"良好"であると、順方向電力を増加させ、"不良"であると、順方向電力を減少させる。方法２では、前記状態情報及び以前フレームが伝送されたか否かを示す情報をともに使用して、順方向電力を制御する。また、図７及び図８による方法は、前記端末機から送信されるデータのフォーマットによって相違する。図８による方法は、パイロット逆拡散器４４の代わりにトラヒック逆拡散器４３から受信したデータを利用する。
【００４８】
方法１と方法２との差及び制御方法のケースの数は、図７の説明のように＜表２＞及び＜表３＞に対する説明と同じであるので省略する。図７の方法と同様に、図８の方法は各フレームに対して順方向リンク伝送電力を制御するので、従来前記フレームが伝送される時のみに電力を制御する方法に比べて、チャネルの変化をより速くて効率的に補償することができる。
【００４９】
図９は、ＤＴＸで順方向電力を制御することのできる図２の装置で、図３及び図４に示すチャネル状態を判断する装置の詳細な構成を示すブロック図である。図９の受信器１２の構成及び動作は、図２及び図３と同一であるので、説明は省略する。前記受信器１２の混合器１２ｄからの出力信号は、電力制御ビットのエネルギーを測定する第２エネルギー測定器２２及び非電力制御ビットのエネルギーを測定する第１エネルギー測定器２０に入力される。前記第１エネルギー測定器２０の出力値、第２エネルギー測定器２２の出力値、及び前記２つの値の比率としきい値との比較値は、それぞれ＜数式１＞、＜数式２＞、及び＜数式３＞のように示す。
【数１】
2004304839.tif 000006
【数２】
2004304839.tif 000007
【数３】
2004304839.tif 000008
前記数式の値は、下記のように定義される。
【数４】
2004304839.tif 000009
【００５０】
＜数式１＞で、チャネルの状態が補償される非電力制御ビット信号の成分である分子項を'Ａｆ'と言い、チャネルエネルギー測定器３０によって測定されるチャネル状態である分母項を'Ｃｆ'と言うと、前記Ａｆ及びＣｆは図９の装置によって具現される。
＜数式２＞で、チャネルの状態が補償される電力制御ビット信号の成分である分子項を'Ｂｆ'と言うと、＜数式２＞の分子項及び分母項は図９の装置によって具現される。
【００５１】
＜数式３＞は、図９の装置によって求められた非電力制御ビットエネルギーと電力制御ビットエネルギーとの比率を求める数式で、前記求められた値と所定しきい値を比較して前記フレームの有無を決定する。
図１０は、＜数式１＞の非電力制御ビットエネルギーを検出するための構成を示すブロック図である。図１０を参照して、＜数式１＞を具現する構成及び動作を詳細に説明する。
【００５２】
それぞれのフィンガー(finger)で測定された非電力制御ビットエネルギー及びパイロットエネルギーは、第１加算器６０及び第２加算器６２によって加算され、前記加算された値は割算演算器６４によって割れる。前記割算演算器６４の出力は、＜数式１＞のようにＡ／Ｃである。前記割算演算器６４の出力は、乗算器６６によって乗算された後、累積器６８によって所定区間にわたって累積される。
【００５３】
図１０の構成は図１１のように構成することもできる。つまり、２つの加算器８０、８４は、図１０の２つの加算器６０、６２と同一であり、累積器９０は図１０の累積器６８と同一である。しかしながら、割り算及び掛け算の順序は異なる。つまり、図１０では、まず、割算演算器６４によって割り算をした後、乗算器６６によって掛け算をする。 図１１では、第１乗算器８２によって前記第１加算器８０の出力を掛けて、第２乗算器８６によって第２加算器８４の出力を掛ける。前記出力値は、割算演算器８８によって割り算が遂行される。従って、＜数式１＞の変形によって、前記構成を具現することができる。しかしながら、図１０の構成は図１１の構成より簡単である。つまり、＜数式１＞の変形によって前記構成を変更することもでき、また他の変形もできるということは、この分野の通常の知識を有する者には自明である。
【００５４】
図１２は、＜数式２＞の電力制御ビットエネルギーを検出するための構成を示すブロック図である。図１２を参照して、＜数式２＞の構成を具現する動作を詳細に説明する。
それぞれのフィンガーで測定された前記電力制御ビットエネルギー及び前記チャネル状態は、第１加算器７０及び第２加算器６２によって加算されて、割算演算器７２に入力される。前記割算演算器７２は前記２つの信号を入力値として受信して、前記第１加算器７０の出力を第２加算器６２の出力で割る。前記割算演算器７２の出力は乗算器７４に入力されて乗算される。前記乗算器７４の出力は累積器７６によって所定値だけ累積される。
【００５５】
図１１の構成によって計算された電力制御ビットエネルギー値及び図１０の構成によって計算された非電力制御ビットエネルギー値は、＜数式３＞によって演算されて、フレームの有無を判断するための値を求めるようになる。
図１３は、図３及び図４のエネルギー比計算器２６ａを具現するための他の実施形態を示すブロック図である。図１３の構成は＜数式４＞のように示され、＜数式３＞に適用すると、＜数式５＞のように求められる。
【数５】
2004304839.tif 000010
【数６】
2004304839.tif 000011
【００５６】
＜数式４＞及び＜数式５＞で、'Ｗｉ'は、ｉ番目の電力制御グループで伝送される順方向電力制御命令で、前記命令は、前記端末機によって順方向チャネル状態を測定した後、前記基地局による順方向電力制御のために逆方向に伝送される。この値をバッファに貯蔵することによって、チャネルの状態情報を貯蔵する。順方向チャネル状態が良好に判定される場合、前記逆方向に伝送される順方向チャネル制御命令は順方向電力を減少させるので、この値は'１'として記録される。つまり、前記バッファ３０８に貯蔵される値は'１'である。また、前記順方向チャネルの状態が良好でないと判定される場合、前記逆方向に伝送される順方向チャネル制御命令は順方向電力を増加させるので、この値は'０'として前記バッファ３０８に記録される。従って、'１'として記録された電力制御グループの電力制御ビットエネルギー値は、チャネル状態が良好状態であることを示すので、現在電力制御ビットエネルギー値の演算を補償する。また、'０'として記録された電力制御グループの電力制御ビットエネルギー値は、チャネル状態が不良状態であることを示すので、現在電力制御ビットエネルギー値の演算を補償しない。'Ｗｉ'が１である場合は、チャネル状態が良好で、電力減少が命じられるので、前記数式に−０.５ｄＢが反映される。'Ｗｉ'が０である場合は、チャネル状態が不良で、電力増加が命じられるので、前記数式に＋０.５ｄＢが反映される。
【００５７】
図１４は、図３及び図４の本発明の実施形態による制御器の動作を説明するためのフローチャートである。前記制御器２６ｄは、１０２段階で、復号器１４のＣＲＣ検査のような復号情報を使用して、現在受信されたフレームが良好フレームであるか不良フレームであるかを検査する。つまり、前記制御器は、復号が正確に遂行されたか否か、言い換えて、前記ＣＲＣ検査がエラーの有無を指摘するか否かを検査する。１０２段階のＣＲＣ検査結果により、前記受信されたフレームが良好であると、前記制御器２６ｄは１０８段階に進行する。このケースでは、前記フレームが存在し、前記フレームの状態は良好であると判断する。しかしながら、１０２段階のＣＲＣ検査結果により、前記受信されたフレームが良好でないと、前記制御器２６ｄは１０４段階に進行する。１０４段階で、前記制御器２６ｄは、前記電力制御ビットエネルギーを検査して、所定しきい値より大きいか否かを確認する。前記電力制御ビットエネルギーは、前記電力制御ビットエネルギーと雑音(noise)の比率値を含む。具体的に言うと、前記電力制御ビットエネルギーは、単純に電力制御ビットのエネルギーを意味するだけでなく、実際チャネル状態を表示する干渉信号と信号の信号強度比率も該当する。前記検査結果により、前記制御器２６ｄは、前記電力制御ビットエネルギー値が所定のしきい値より大きくない場合は１１０段階に進行し、所定のしきい値より大きい場合は１０６段階に進行する。１１０段階に進行する場合、前記制御器２６ｄは、現在受信された信号が劣悪なチャネル環境を経たとみなして、"不確実"状態であると判断する。
【００５８】
一方、１０４段階から１０６段階に進行する場合、前記制御器２６ｄはデータフレームの有無を判断する。つまり、前記制御器２６ｄは、非電力制御ビットエネルギーと電力制御ビットエネルギーの比率値を所定のしきい値と比較して、前記比率値がしきい値より大きくない場合は１１２段階に進行する。１１２段階で、前記制御器は、前記受信された信号を、チャネル環境は良好であるがデータフレームが存在しない状態を示す"パス"状態と判断する。しかしながら、前記比率値が前記しきい値より大きい場合、前記制御器２６ｄは１１４段階に進行する。１１４段階で、前記制御器は、データフレームは存在するがＣＲＣ検査結果が良好でないので、前記受信信号を"不良"フレーム状態と判断する。
【００５９】
前記のように、本発明の実施形態によって、ＤＴＸを使用する移動通信システムで前記受信信号の電力制御ビットエネルギー及び非電力制御ビットエネルギーを測定し、前記測定値及び前記復号器のデータフレーム検査を利用して劣悪なチャネル環境でも正確なチャネル状態を検出するので、前記データフレームが不連続的に伝送される時も各フレームに対して電力制御が遂行できる。前記端末機による処理結果を利用して、前記基地局で遂行される順方向電力の制御過程を説明する。
【００６０】
図１５は、図１４の過程を通して、前記端末機がチャネル状態を判定して該当データを前記基地局に伝送する場合、前記制御器によって遂行される順方向電力制御過程を示すフローチャートである。
２００段階で、前記基地局の制御器５２は、前記端末機からチャネル状態情報を受信すると、２０２段階に進行する。２０２段階で、前記制御器は以前フレームが伝送されたか否かを検査する。検査結果により、以前フレームが伝送された場合、前記基地局の制御器５２は２０４段階に進行し、そうでない場合は２１０段階に進行する。２０４段階で、前記基地局の制御器５２は、２００段階で受信した前記チャネル状態情報が順方向リンクの"良好"状態を示すか否かを検査する。前記受信されたチャネル状態情報が良好状態である場合、前記制御器５２は２０６段階に進行し、そうでない場合は２０８段階に進行する。前記制御器が２０６段階または２０８段階に進行する理由は、＜表３＞のように以前フレームが伝送された時、チャネル状態が"良好"である時のみに順方向リンク電力が減少されるように制御するためである。＜表３＞の方法２による電力制御結果によると、前記"電力減少"は、前記フレームが伝送された時、前記チャネル状態が良好である時のみに発生する。従って、２０４段階で、前記チャネル状態が"良好"であるか否かを検査する。つまり、２０６段階で、前記基地局の制御器５２は順方向電力減少のための命令を前記順方向送信制御器５４に伝送する。一方、２０８段階で、前記基地局の制御器５２は順方向電力増加のための命令を前記順方向送信制御器５４に伝送して、前記基地局の電力を増加させる。
【００６１】
且つ、２０２段階で以前フレームが受信されなかった状態で前記チャネル情報が受信されると、前記制御器５２は２１０段階に進行して、前記チャネル状態情報が"パス"状態で受信されたか否かを検査する。前記チャネル状態が"パス"状態である場合、前記基地局の制御器５２は２１２段階に進行し、そうでない場合は２１４段階に進行する。前記制御器が２１２段階または２１４段階に進行する理由は、＜表３＞のように、以前フレームが伝送されなかった場合、前記チャネル状態が"パス"である時のみに電力が減少するように制御されるためである。＜表３＞の方法２による電力制御結果によると、"電力減少"は、前記フレームが伝送されなかった時、前記チャネル状態が"パス"である時のみに発生する。従って、２１０段階で、前記チャネル状態が"パス"であるか否かを検査する。２１２段階で、前記基地局の制御器５２は、前記チャネル状態を"十分"に判断して、順方向リンク電力を減少させるための命令を前記順方向送信制御器５４に伝送する。一方、２１０段階の検査結果により、前記チャネル状態情報が"パス"でない場合、前記制御器５２は２１４段階に進行する。２１４段階で、前記制御器５２は、前記チャネル状態を"不十分"に判断し、前記順方向電力制御を増加させるための命令を前記順方向送信制御器５４に伝送して、前記基地局の順方向伝送電力を増加させる。
【００６２】
且つ、本発明の好適な実施形態によると、前記端末機が基地局間のソフトハンドオフを遂行し、逆方向リンク電力制御のための前記電力制御ビットエネルギーを増加させる時、前記端末機は前記基地局から前記端末機に伝送されるハンドオフ指示メッセージ(Hand-off Direction Message: ＨＤＭ)を検出するので、前記端末機によって電力制御ビットエネルギーと雑音の比率が増加するということを認識することができる。 前記ハンドオフが遂行される間、前記基地局は電力制御ビットのエネルギーを増加させることも増加させないこともできる。前記基地局が、前記ＨＤＭを通して前記エネルギーが増加されたか否かを前記端末機に知らせると、前記端末機は、電力制御ビットのエネルギーが増加された場合、しきい値を変更することができる。 
【００６３】
従って、前記累積された電力制御ビットエネルギーが増加するので、非電力制御ビットエネルギーと電力制御ビットエネルギーの比率と比較するしきい値を調節することにより、前記チャネル状態の適切な制御を求めることができ、よって、順方向リンク電力制御を効果的に遂行することができる。
且つ、本発明の好適な実施形態によると、前記フレーム及び前記電力制御ビットの伝送がゲートモード(gated mode)で遂行される時も、チャネル推定器の累積区間、前記電力制御ビット及び非電力制御ビットの累積区間、及び前記しきい値のサイズを変化させることによって、前記フレームの伝送状態を正確に判断することができる。つまり、前記フレームがゲートモードで伝送されると、前記累積区間がゲートレート(gating rate)によって１、１／２、及び１／４に変わることにより、前記電力制御ビットの累積エネルギーが減少する。従って、前記しきい値を適切に調節すことにより、前記チャネル状態を適切に判断することができるので、効率的な順方向電力制御が達成できる。
【００６４】
一方、前記本発明の詳細な説明では具体的な実施形態を上げて説明してきたが、本発明の範囲内で様々な変形が可能であるということは勿論である。従って、本発明の範囲は前記実施例によって限られてはおらず、特許請求の範囲とそれに均等なものによって定められるべきである。
【図面の簡単な説明】
【００６５】
【図１】従来不連続伝送モードの移動通信システムで復号器を利用して順方向リンク電力を制御する装置の構成を示すブロック図である。
【図２】本発明の実施形態による不連続伝送モードの移動通信システムで受信フレームの状態を判断して順方向リンク電力を制御する装置の構成を示すブロック図である。
【図３】本発明の実施形態によって、図２の復号器からの情報を利用してフレームの状態を判断する端末機の構成を示すブロック図である。
【図４】本発明の他の実施形態によって、図２の復号器からの情報を利用してフレームの状態を判断する端末機の構成を示すブロック図である。
【図５】図３の本発明の実施形態による順方向電力制御のための逆方向パイロットシンボル及び電力制御サブチャネルのフレームの構造を示す図である。
【図６】図４の本発明の実施形態による順方向電力制御のための逆方向トラヒック伝送フレームの構造を示す図である。
【図７】図５の実施形態による逆方向伝送順方向リンク電力制御のための基地局の順方向リンク電力制御装置を示すブロック図である。
【図８】図６の実施形態による逆方向伝送順方向リンク電力制御のための基地局の順方向リンク電力制御装置を示すブロック図である。
【図９】電力制御ビットのエネルギーに対する非電力制御ビットのエネルギーの比率を測定してフレームの有無を判断する装置の詳細構成を示すブロック図である。
【図１０】図８の実施形態による方法を具現する非電力制御ビットのエネルギーを求めるための構成を示すブロック図である。
【図１１】図１０の数式を変更して非電力制御ビットのエネルギーを求める構成を示すブロック図である。
【図１２】図８の実施形態による方法を具現する電力制御ビットのエネルギーを求めるための構成を示すブロック図である。
【図１３】図３及び図４のエネルギー比計算器の他の実施形態を示すブロック図である。
【図１４】図３の本発明の実施形態による制御器の動作を説明するためのフローチャートである。
【図１５】図７及び図８の本発明の実施形態による制御器の動作を説明するためのフローチャートである。
【符号の説明】
【００６６】
１０、４０…ＲＦ部
１２…受信器
１２ａ、４２…ＰＮ逆拡散器
１２ｂ、４３…トラヒック逆拡散器
１２ｃ、４６…チャネル推定器
１２ｄ、４８、３１０、３１２、３１４、３１６…混合器
１４…復号器
１８…逆方向送信器
２０…位置検出器
２２、２４…エネルギー測定器
２６…制御部
２６ａ…エネルギー比計算器
２６ｂ、２６ｃ…比較器
２６ｄ、５２…制御器
２６ｅ…チャネル情報挿入器
２６ｆ…多重化器
３０…チャネルエネルギー測定器
４４…パイロット逆拡散器
５０…復調器
５４…順方向送信器
６０、６２、７０、８０、８４、３００、３０２、３１８…加算器
６４、７２、８８、３０４…割算演算器
６６、７４、８２、８６、３２０…乗算器
６８、７６、３２２…累積器
３０６、３０８…バッファ
【図１】
2004304839.tif 000012
【図２】
2004304839.tif 000013
【図３】
2004304839.tif 000014
【図４】
2004304839.tif 000015
【図５】
2004304839.tif 000016
【図６】
2004304839.tif 000017
【図７】
2004304839.tif 000018
【図８】
2004304839.tif 000019
【図９】
2004304839.tif 000020
【図１０】
2004304839.tif 000021
【図１１】
2004304839.tif 000022
【図１２】
2004304839.tif 000023
【図１３】
2004304839.tif 000024
【図１４】
2004304839.tif 000025
【図１５】
2004304839.tif 000026